(57)【要約】      （修正有）【課題】重心位置が不明確な荷であっても水平な状態で吊り上げられるよう容易に調整ができる吊り具を提供する。【解決手段】荷を吊り上げるフックを有する巻上機に用いられ、上記荷に掛けられるワイヤＲを上記フックに取り付けるための吊り具であって、吊り具本体２と、上記吊り具本体を上記巻上機のフックに取り付けるためのフック取付部３と、ワイヤの両端部を固定可能なワイヤ取付部４と、ワイヤの中間部の一部を巻き付けるためのワイヤ巻付部５とを備える。【選択図】図１
0003222782.tif 000002
【実用新案登録請求の範囲】
【請求項１】
荷を吊り上げるフックを有する巻上機に用いられ、上記荷に掛けられるワイヤを上記フックに取り付けるための吊り具であって、
吊り具本体と、
上記吊り具本体を上記巻上機のフックに取り付けるためのフック取付部と、
ワイヤの両端部を固定可能なワイヤ取付部と、
ワイヤの中間部の一部を巻き付けるためのワイヤ巻付部と
を備える吊り具。
【請求項２】
上記ワイヤ巻付部に巻き付けたワイヤ中間部の位置の調整により上記荷からワイヤ取付部までのワイヤ長が変更できる請求項１に記載の吊り具。
【請求項３】
上記ワイヤ取付部が外れ止め付フックである請求項１又は請求項２に記載の吊り具。
【請求項４】
上記ワイヤ巻付部がリールである請求項１、請求項２又は請求項３に記載の吊り具。
【請求項５】
上記リールの巻取部分の幅が上記ワイヤ２本分の幅に等しい請求項４に記載の吊り具。
【請求項６】
上記吊り具本体が対向する一対の三角形状の板材であり、
上記フック取付部が上記一対の板材の１の頂点に近接した位置に配設され、
上記ワイヤ取付部及び上記ワイヤ巻付部が上記１の頂点と対向する辺に近接した位置に配設される請求項１から請求項５のいずれか１項に記載の吊り具。
【考案の詳細な説明】
【技術分野】
【０００１】
本考案は、吊り具に関する。
【背景技術】
【０００２】
例えばエンジンに用いられるクランク軸は、長尺で不規則な形状を有しており、かつ重量が大きい。このようなクランク軸のエンジンへの取り付けや、製作途中での運搬作業は、起重機により吊り上げて行われる。
【０００３】
この起重機による吊り上げは、クランク軸の落下防止の観点から、クランク軸を水平に保ったまま行う必要がある。つまり、クランク軸の重心位置を起重機により吊り上げる必要がある。ところが、上述のようにクランク軸は長尺で不規則な形状を有しているため、重心の位置が中央にあるとは限らず、正確に重心位置を吊り上げることは容易ではない。
【０００４】
これに対し、荷を水平に吊り上げるためのワイヤの調整を地上にて予め行っておくことができ、重心が荷の中心からずれている偏重心吊荷を吊り上げた当初から水平な状態とできる水平吊天秤が提案されている（特開２００２−１５４７８３号公報参照）。
【０００５】
この従来の水平吊天秤は、起重機の吊下用フックに係止される複数本の吊りワイヤにより吊り下げられる吊り天秤本体と、この天秤本体の中央部を境とするその一方側と他方側にそれぞれ設けられ吊りワイヤの先端部を固定するワイヤ固定部材と、このワイヤ固定部材を天秤本体に着脱可能に取り付ける部分であって天秤本体の一方側と他方側にそれぞれ複数個ずつ設けられる取付可能部と、吊りワイヤの中途部を押圧してその中途部を屈曲させることにより吊りワイヤの張設方向を決定するワイヤ押圧部材とを備える。
【０００６】
上記従来の水平吊天秤では、以下の手順によりワイヤの調整を行う。まず、荷の重心の真上に吊下用フックを位置させるように複数の取付可能部の中からワイヤ固定部材を取り付ける取付可能部を選定する。選定した取付可能部にワイヤ固定部材を取り付けるとともにこのワイヤ固定部材に吊りワイヤの先端部を固定する。そして、吊りワイヤの中途部をワイヤ押圧部材により屈曲させて長さを調整し、天秤本体が水平となるようにする。この手順によれば、調整後の水平吊天秤では、天秤本体が水平な状態で荷の重心を吊り上げることができる。
【０００７】
ところが、上記従来の水平吊天秤は、荷の重心位置が既知であることを前提としているため、クランク軸のように正確な重心位置が不明確である長尺物に対して用いることが難しい。このため、上記従来の水平吊天秤では、重心位置が不明確であると、一度吊り上げて水平状態を確認し、再度地上に荷を降ろしてワイヤ固定部材の取付可能部の位置を変更する必要がある。また、上記取付可能部は予め決められた位置に設けられているため、ワイヤ取付位置の微調整を行うことが困難である。
【先行技術文献】
【特許文献】
【０００８】
【特許文献１】特開２００２−１５４７８３号公報
【考案の概要】
【考案が解決しようとする課題】
【０００９】
本考案は、このような不都合に鑑みてなされたものであり、重心位置が不明確な荷であっても水平な状態で吊り上げられるよう容易に調整ができる吊り具の提供を課題とする。
【課題を解決するための手段】
【００１０】
本考案は、荷を吊り上げるフックを有する巻上機に用いられ、上記荷に掛けられるワイヤを上記フックに取り付けるための吊り具であって、吊り具本体と、上記吊り具本体を上記巻上機のフックに取り付けるためのフック取付部と、ワイヤの両端部を固定可能なワイヤ取付部と、ワイヤの中間部の一部を巻き付けるためのワイヤ巻付部とを備える。
【００１１】
当該吊り具は、ワイヤの各端部と荷との距離がワイヤ巻付部に巻き付けるワイヤの中間部の位置により決められる。このため、ワイヤと荷との固定位置やワイヤとフックとの固定位置を変更することなく、荷を水平な状態で吊り上げる調整を行うことができる。従って、当該吊り具は、重心位置が不明確な荷であっても水平な状態で吊り上げられるよう容易に調整ができる。
【００１２】
上記ワイヤ巻付部に巻き付けたワイヤ中間部の位置の調整により上記荷からワイヤ取付部までのワイヤ長が変更できるとよい。当該吊り具は、巻き付けたワイヤ中間部の位置を変更することで特に容易に調整を行うことができる。
【００１３】
上記ワイヤ取付部が外れ止め付フックであるとよい。このように上記ワイヤ取付部を外れ止め付フックとすることで、ワイヤの両端部を当該吊り具に容易に固定することができるので、取扱いが容易となる。
【００１４】
上記ワイヤ巻付部がリールであるとよい。このように上記ワイヤ巻付部をリールとすることで、ワイヤの中間部を容易にワイヤ巻付部に巻き付けることができるので、取扱いが容易となる。
【００１５】
上記リールの巻取部分の幅としては、上記ワイヤ２本分の幅に等しいことが好ましい。このように上記リールの巻取部分の幅を上記ワイヤ２本分の幅に等しくすることで、巻き付けたワイヤ中間部が固定できるので、取扱いが容易となる。
【００１６】
上記吊り具本体が対向する一対の三角形状の板材であり、上記フック取付部が上記一対の板材の１の頂点に近接した位置に配設され、上記ワイヤ取付部及び上記ワイヤ巻付部が上記１の頂点と対向する辺に近接した位置に配設されるとよい。このように当該吊り具を構成することで、荷を吊り上げる際に当該吊り具の姿勢を安定させ易い。
【考案の効果】
【００１７】
本考案の吊り具は、重心位置が不明確な荷であっても水平な状態で吊り上げられるよう容易に調整ができる。
【図面の簡単な説明】
【００１８】
【図１】本考案の一実施形態に係る吊り具の模式的側面図である。
【図２】図１の吊り具の模式的正面図である。
【図３】図１の吊り具を用いてクランク軸を吊り上げた状態を示す模式的斜視図である。
【考案を実施するための形態】
【００１９】
以下、本考案の一実施形態について、適宜図面を参照しつつ詳説する。
【００２０】
［吊り具］
図１及び図２に示す吊り具１は、荷を吊り上げるために用いられる吊り具である。図３に、荷であるクランク軸Ｃを吊り上げるために当該吊り具１を用いている状態を示す。このように当該吊り具１は、荷であるクランク軸Ｃに掛けられたワイヤＲと巻上機ＷのフックＦとを連結する。
【００２１】
当該吊り具１は、吊り具本体２と、吊り具本体２を巻上機ＷのフックＦに取り付けるためのフック取付部３と、ワイヤＲの両端部を固定可能なワイヤ取付部４と、ワイヤＲの中間部の一部を巻き付けるためのワイヤ巻付部５と、ワイヤ取付部４及びワイヤ巻付部５を吊り具本体２に固定するための柱状部材６とを備える。
【００２２】
＜吊り具本体＞
吊り具本体２は、図１及び図２に示すように、対向する一対の三角形状の板材２１である。このように吊り具本体２を一対の板材２１で構成することで、当該吊り具１の軽量化を図ることができる。
【００２３】
この板材２１の各頂点は面取りされているとよい。このように板材２１の各頂点を面取りすることで、物との接触による破損等を防止できる。
【００２４】
板材２１の大きさは、荷の大きさや重さに耐えうる大きさとされる。また、一対の板材２１の間隔は、その間にフックＦを挟み込める間隔とされる。
【００２５】
＜フック取付部＞
フック取付部３は、図１に示すように、フック取付部本体３１と、ボルト３２とを有する。
【００２６】
フック取付部本体３１は、柱状であり、一対の板材２１間に架け渡される。当該吊り具１では、このフック取付部本体３１に巻上機ＷのフックＦを連結することができる。
【００２７】
フック取付部本体３１は、一対の板材２１を貫通して外側でボルト３２により板材２１に締結されている。フック取付部本体３１は、一対の板材２１に内側から当接する突出部３１ａを有し、この突出部３１ａとボルト３２とで板材２１を挟み込むことで、一対の板材２１の離間距離を確保するとともに、板材２１を固定している。
【００２８】
また、フック取付部３は、図２に示すように、吊り具本体２を構成する一対の板材２１の１の頂点に近接した位置に配設されている。このようにフック取付部３を板材２１の１の頂点に近接した位置に配設することで、当該吊り具１を巻上機ＷのフックＦに連結して吊り上げたときに、上記頂点を上側として当該吊り具１を安定して吊り上げることができる。従って、荷であるクランク軸Ｃを安定した状態で吊り上げることができる。
【００２９】
＜ワイヤ取付部＞
ワイヤ取付部４は、図１及び図２に示すように、外れ止め付フックである。つまり、ワイヤ取付部４は、基端部から先端部にかけて鈎状に湾曲した鈎状部４１と、この鈎状部４１の先端の開口を開閉する外れ止め４２とを有している。
【００３０】
ワイヤ取付部４は、図１及び図２に示すように、フック取付部３が近接している上記１の頂点と対向する辺に近接した位置に配設される。さらに具体的には、ワイヤ取付部４は、平面視でフック取付部３と三角形状の板材２１の重心を通る直線上に配置される。また、ワイヤ取付部４は、一方の板材２１の外側に突出するように、かつ鈎状部４１先端の開口がフック取付部３の方向を向くように配置されている。
【００３１】
外れ止め４２は、フック取付部３に近い側の端部が鈎状部４１に固定され、鈎状部４１の開口を開閉するように、この固定位置を軸として回転可能に構成されている。また、外れ止め４２は、フック取付部３から遠い側の端部が上記開口を塞ぐように付勢され、鈎状部４１に当接している。外れ止め４２を付勢する方法としては、特に限定されないが、例えばバネを用いる方法を採用することができる。
【００３２】
このような外れ止め付フックにあっては、外れ止め４２が鈎状部４１の内側（鈎状部４１と外れ止め４２とにより囲まれる閉じた空間）へ向かっては容易に回転するので、鈎状部４１の外側から内側へワイヤＲを差し込むことは容易である。一方、いったん鈎状部４１の内側へ差し込まれたワイヤＲは、外れ止め４２を内側から外側へ押しても上記開口が閉じた状態が維持されるため、外側へ抜け出ることは困難となる。従って、このようにワイヤ取付部４を外れ止め付フックとすることで、ワイヤＲの両端部を当該吊り具１に容易に固定することができるので、取扱いが容易となる。
【００３３】
＜ワイヤ巻付部＞
ワイヤ巻付部５は、図１及び図２に示すように、リールである。つまり、ワイヤ巻付部５は、円筒状の筒体５１と、この筒体５１の両側に同軸に配設され、筒体５１の平均径よりも平均径が大きい一対の円形板５２とを有する。ワイヤ巻付部５は、筒体５１にワイヤＲを巻き付けることができ、円形板５２により筒体５１の外側へワイヤＲが抜け落ちることを抑止できる。なお、「平均径」とは、長さ方向の任意の１０点で測定した直径の平均値を指す。なお、直径とは面積換算径を指す。
【００３４】
上記リールの巻取部分の幅（筒体５１の長さ）としては、ワイヤＲの２本分の幅に等しいことが好ましい。後述するように筒体５１には、ワイヤＲの中間部が巻き付けられる。この時、ワイヤＲは筒体５１の一部で２重になり、残りの部分では１重となる。従って、上記リールの巻取部分の幅を上記ワイヤＲの２本分の幅に等しくすることで、巻き付けたワイヤＲの中間部のうち２重となる部分でワイヤＲを固定できるので、取扱いが容易となる。
【００３５】
筒体５１の平均径の下限としては、ワイヤＲの平均径の１０倍が好ましく、１５倍がより好ましい。一方、筒体５１の平均径の上限としては、ワイヤＲの平均径の３０倍が好ましく、２５倍がより好ましい。筒体５１の平均径が上記下限未満であると、ワイヤＲを巻き付けた際にワイヤＲが引き締まり過ぎて、ワイヤＲの中間部の位置調整が困難となるおそれがある。逆に、筒体５１の平均径が上記上限を超えると、ワイヤＲの中間部が十分に固定できず、吊り上げ時にワイヤＲの中間部が移動し、バランス調整が崩れるおそれや、当該吊り具１が大きくなり過ぎて取扱性が劣るおそれがある。
【００３６】
円形板５２の平均径は、ワイヤＲの抜け落ちが防止できる値とされる。つまり、円形板５２の平均径と筒体５１の平均径との差の下限としては、ワイヤＲの平均径の１倍が好ましく、１．５倍がより好ましい。一方、上記平均径の差の上限としては、ワイヤＲの平均径の１０倍が好ましく、５倍がより好ましい。上記平均径の差が上記下限未満であると、ワイヤＲの抜け落ち防止効果が不十分となるおそれがある。逆に、上記平均径の差が上記上限を超えると、当該吊り具１が大きくなり過ぎて取扱性が劣るおそれがある。
【００３７】
ワイヤ巻付部５は、ワイヤ取付部４と同様に、フック取付部３が近接している上記１の頂点と対向する辺に近接した位置に配設される。また、ワイヤ巻付部５は、ワイヤ取付部４が配設される板材２１とは異なる板材２１に、ワイヤ取付部４とは反対側に突出するように配設されている。さらに、ワイヤ取付部４とワイヤ巻付部５とは一対の板材２１を挟んで対向するように配置されている。このようにフック取付部３、ワイヤ取付部４及びワイヤ巻付部５を配設することで、荷を吊り上げる際に当該吊り具１の姿勢を安定させ易くすることができる。なお、フック取付部３、ワイヤ取付部４及びワイヤ巻付部５の配設位置はこれに限定されるものではなく、これとは異なる配設位置をとることも可能である。
【００３８】
＜柱状部材＞
柱状部材６は、円柱又は円筒状であり、一対の板材２１間に架け渡される。柱状部材６は、側面視でワイヤ取付部４及びワイヤ巻付部５と重なるように配設される。つまり、柱状部材６は、ワイヤ取付部４及びワイヤ巻付部５と同様に、フック取付部３が近接している上記１の頂点と対向する辺に近接した位置に配設される。
【００３９】
この配置によりワイヤ取付部４は、板材２１を介して柱状部材６に固定可能となり、取付強度を向上させることができる。また、図２に示すように、柱状部材６の一端側で板材２１を貫通させ、その一部をワイヤ巻付部５の筒体５１として使用することもできる。
【００４０】
また、柱状部材６は、一対の板材２１の離間距離を確保するとともに、板材２１を固定している。柱状部材６は、フック取付部３が近接している上記１の頂点と対向する辺に近接した位置にあるので、板材２１においてフック取付部３と柱状部材６とは離れた位置にある。このため、フック取付部３及び柱状部材６により一対の板材２１を固定することで、当該吊り具１に外力により歪みが発生することを効果的に抑止することができる。
【００４１】
柱状部材６の平均径は、特に限定されないが、例えばワイヤ巻付部５の筒体５１の平均径と同等とできる。
【００４２】
［当該吊り具によるバランス調整方法］
当該吊り具１によるバランス調整方法について、図３を参照しつつ、詳説する。
【００４３】
当該吊り具１によるバランス調整方法は、吊り具取付工程と、ワイヤ掛け回し工程と、吊り上げ工程と、調整工程とを備える。
【００４４】
＜吊り具取付工程＞
上記吊り具取付工程では、当該吊り具１を巻上機ＷのフックＦに取り付ける。具体的には、当該吊り具１のフック取付部本体３１をフックＦに掛ける。
【００４５】
当該吊り具１では、フック取付部本体３１をフックＦに掛けると、重量バランスの観点から、ワイヤ取付部４及びワイヤ巻付部５がフックＦの鉛直下方に位置する姿勢で安定する。このとき、クランク軸Ｃの軸方向と板材２１の面とが平行となるように当該吊り具１の向きを調整する。なお、「平行」とは厳密な平行を意味するものではなく、後述するワイヤ掛け回し工程が可能である限り浅い角度をなす状態であってもよい。
【００４６】
また、図３に示すように、当該吊り具１を起点としてクランク軸Ｃの軸方向に対称となるような２箇所にワイヤＲが掛け渡されるが、このクランク軸Ｃの２箇所の架け渡し位置の間にクランク軸Ｃの重心Ｍがあることが好ましく、特に当該吊り具１の直下近傍にクランク軸Ｃの重心Ｍがあることがさらに好ましい。従って、このような位置関係となるように当該吊り具１をクランク軸Ｃに対して位置させる。このような位置関係から調整を始めると、調整量が比較的少なくなり、効率的にバランス調整を行うことができる。
【００４７】
なお、クランク軸Ｃは形状が複雑であるため、正確な重心Ｍの位置を知ることは難しい。しかし、例えば左右の重量が等しくなる位置等は比較的容易に知ることができ、重心Ｍの良い近似になると考えられる。当該吊り具１では、このような近似的な重心位置の直上に当該吊り具１を位置させれば足る。また、上述のような近似的な重心位置を求めることが困難である場合であっても、例えばクランク軸Ｃの軸方向の中点を仮の重心位置として以下の手順を行うことで、バランス調整することもできる。
【００４８】
＜ワイヤ掛け回し工程＞
上記ワイヤ掛け回し工程では、荷であるクランク軸Ｃを吊り上げ可能となるように、クランク軸Ｃと当該吊り具１との間にワイヤＲを掛け回す。
【００４９】
ワイヤＲとしては、両端が輪状となるように処理されている１本のロープを用いる。ワイヤＲの長さは、当該吊り具１とクランク軸Ｃとの間に必要とされる距離等をもとに適宜決定される。また、ワイヤＲの平均径は、クランク軸Ｃの重さに支持できる太さとされ、例えば１０ｍｍ以上３０ｍｍ以下とされる。
【００５０】
ワイヤＲは以下の順に掛け回される。まず輪状となっているワイヤＲの一端をワイヤ取付部４の外れ止め付フックに留める。次にワイヤＲをクランク軸Ｃに下方から掛ける。このときワイヤＲによる吊り角が１０°以上６５°以下となるようにクランク軸Ｃに掛ける位置（図３の吊り上げ位置Ｃ１）を決定するとよい。具体的には、ワイヤＲと鉛直方向とのなす角度が上記吊り角の１／２となるような位置とするとよい。
【００５１】
クランク軸Ｃに掛けられたワイヤＲを、ワイヤ巻付部５に誘導し、筒体５１を１周するように巻き付けた後、平面視でクランク軸Ｃの当該吊り具１を基準として反対側へ誘導する。つまり、ワイヤＲの中間部の一部がワイヤ巻付部５に巻き付けられる。また、ワイヤＲは筒体５１の上側で２重になり、下側では１重となっている。
【００５２】
クランク軸Ｃの当該吊り具１を基準として反対側へ誘導されたワイヤＲを、上述の最初にクランク軸Ｃに掛けたワイヤＲの位置と当該吊り具１を基準として対称となる位置（図３の吊り上げ位置Ｃ２）に掛ける。そして、輪状となっているワイヤＲの他端をワイヤ取付部４の外れ止め付フックに留める。
【００５３】
以上のようにして、図３に示すようなクランク軸Ｃと当該吊り具１との間にワイヤＲを掛け回した状態とする。なお、当該吊り具１と一方の吊り上げ位置Ｃ１との間の２つのワイヤＲの長さ、及び当該吊り具１と他方の吊り上げ位置Ｃ２との間の２つのワイヤＲの長さは、それぞれ等しくなるように調整する。具体的にはワイヤＲがクランク軸Ｃと接する位置を移動させることで長さの調整が可能である。後述する調整工程においても同様である。
【００５４】
＜吊り上げ工程＞
上記吊り上げ工程では、巻上機ＷのフックＦを巻き上げてクランク軸Ｃを吊り上げる。
【００５５】
このとき、クランク軸Ｃの自重によりワイヤ巻付部５に巻き付けたワイヤＲにはロックがかかり、ワイヤＲが移動しない状態とすることができる。従って、ワイヤＲを掛け回した状態を維持しつつ、クランク軸Ｃを吊り上げることができる。
【００５６】
クランク軸Ｃが許容範囲を超えて斜めとなって吊り上がる場合は、調整工程を行う。一方、クランク軸Ｃの傾きが許容範囲である、つまり水平に吊り上がっているとみなせる場合は、バランス調整を終了する。
【００５７】
＜調整工程＞
上記調整工程では、ワイヤ巻付部５に巻き付けたワイヤ中間部の位置の調整によりバランス調整をする。
【００５８】
具体的には、巻上機ＷのフックＦを巻き下げて、クランク軸Ｃを載置し、ワイヤ巻付部５に巻き付けているワイヤ中間部の位置を調整する。以下、他方の吊り上げ位置Ｃ２が一方の吊り上げ位置Ｃ１よりも上がった状態でクランク軸Ｃが吊り上がった場合を例にとり説明する。なお、一方の吊り上げ位置Ｃ１が他方の吊り上げ位置Ｃ２より上がった状態でクランク軸Ｃが吊り上がった場合についても同様の手順で調整できる。
【００５９】
他方の吊り上げ位置Ｃ２が上がった状態となるということは、クランク軸Ｃの重心Ｍに対して、当該吊り具１の中心が他方の吊り上げ位置Ｃ２側にずれていることを意味している。つまり、当該吊り具１と他方の吊り上げ位置Ｃ２側との間のワイヤＲに先にテンションが加わっている。このような場合、この先にテンションが加わるワイヤＲの部分を現状より長くするとバランスが取れるようになる。
【００６０】
そこで、ワイヤ巻付部５に巻き付けたワイヤＲの中間部の位置を調整し、当該吊り具１と他方の吊り上げ位置Ｃ２側との間の距離（クランク軸Ｃからワイヤ取付部４までのワイヤ長）が長くなるようにワイヤＲの掛け方を調整する。当該吊り具１では、ワイヤＲはワイヤ巻付部５に巻き付けられているだけであるので、このようにワイヤ巻付部５に巻き付けたワイヤＲの中間部の位置の調整によりクランク軸Ｃからワイヤ取付部４までのワイヤ長が変更できる。従って、当該吊り具１を用いることで、容易にバランス調整を行うことができる。
【００６１】
このようにワイヤ巻付部５に巻き付けたワイヤＲの中間部の位置の調整によりクランク軸ＣからワイヤＲの両端部までの距離を変更した後、再び上記吊り上げ工程を行う。
【００６２】
以上のように上記吊り上げ工程及び上記調整工程を繰り返し行うことで、バランスが取れる。
【００６３】
［利点］
当該吊り具１は、ワイヤＲの各端部と荷（クランク軸Ｃ）との距離がワイヤ巻付部５に巻き付けるワイヤＲの中間部の位置により決められる。このため、ワイヤＲと荷との固定位置やワイヤＲとフックＦとの固定位置を変更することなく、荷を水平な状態で吊り上げる調整を行うことができる。従って、当該吊り具１は、重心位置が不明確な荷であっても水平な状態で吊り上げられるよう容易に調整ができる。
【００６４】
［その他の実施形態］
なお、本考案は、上記実施形態に限定されるものではない。
【００６５】
上記実施形態では、吊り具本体が一対の三角形状の板材である場合を説明したが、板材の形状は三角形状に限定されるものではなく、楕円形状や四角形状等の他の形状であってもよい。
【００６６】
また、吊り具本体は一対の板材で構成される必要はなく、例えばブロック状等であってもよい。
【００６７】
上記実施形態では、ワイヤ取付部が外れ止め付フックである場合を説明したが、ワイヤ取付部は外れ止め付フックに限定されるものではない。例えば外れ止めを有さないフックや、リング状の取付部であってもよい。
【００６８】
上記実施形態では、ワイヤ巻付部がリールである場合を説明したが、ワイヤ巻付部はリールに限定されるものではない。例えばワイヤ巻付部を離間して配置される一対の突起とし、この突起間にワイヤを掛け渡す構成としてもよい。
【００６９】
上記実施形態では、当該吊り具が柱状部材を備える場合を説明したが、柱状部材は必須の構成要素ではなく、省略することもできる。
【００７０】
上記実施形態では、クランク軸を吊り上げる場合について説明したが、吊り上げる荷はクランク軸に限定されるものではない。ただし、当該吊り具は、重心位置が正確に把握し難い長尺物、特にクランク軸に好適に用いることができる。
【産業上の利用可能性】
【００７１】
以上のように、本考案の吊り具は、重心位置が不明確な荷であっても水平な状態で吊り上げられるよう容易に調整ができる。
【符号の説明】
【００７２】
１  吊り具
２  吊り具本体
２１  板材
３  フック取付部
３１  フック取付部本体
３１ａ  突出部
３２  ボルト
４  ワイヤ取付部
４１  鈎状部
４２  外れ止め
５  ワイヤ巻付部
５１  筒体
５２  円形板
６  柱状部材
Ｗ  巻上機
Ｆ  フック
Ｒ  ワイヤ
Ｃ  クランク軸
Ｃ１、Ｃ２  吊り上げ位置
Ｍ  重心
【図１】
0003222782.tif 000003
【図２】
0003222782.tif 000004
【図３】
0003222782.tif 000005